【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
画像データを入力する入力手段と、
前記入力手段で入力した画像データの各画素毎に、属性情報を生成する属性情報生成手段と、
前記入力手段で入力した画像データを、予め設定されたサイズの複数のブロックに分割する分割手段と、
前記分割手段で分割した着目ブロック内に出現する色と画素数のヒストグラムを生成する生成手段と、
前記生成手段で生成したヒストグラムで得られた着目色を持つ領域の面積が予め設定された第１の閾値よりも大きい場合、着目色の領域を有意な領域として決定する第１の決定手段と、
前記生成手段で生成したヒストグラムで得られた着目色を持つ領域の面積が前記第１の閾値以下の場合であって、着目色の領域が着目ブロックの境界に位置し、且つ、前記着目色の領域内の前記境界の画素に対する、前記属性情報生成手段で生成された属性情報が、予め設定された属性を示す場合、前記着目色の領域が有意な領域として決定する第２の決定手段と、
前記第１、第２の決定手段のいずれでも、前記着目色の領域が有意な領域として決定されなかった場合、前記着目色の領域を、当該着目色の領域が接する他の色の領域に統合するため、前記着目色の領域内の画素の色を前記他の色に置換する置換手段と、
前記第１、第２の決定手段のいずれかで、前記着目色の領域が有意な領域として決定された場合であって、前記着目色の領域と、前記着目ブロックと接する他のブロックで有意と決定された領域との色差が、予め設定された第２の閾値以下の場合、前記着目色の領域と前記他のブロックで有意と決定された領域とを統合する統合手段と、
を備えることを特徴とする画像処理装置。
【請求項２】
前記統合手段は、前記色差が前記第２の閾値よりも大きく、且つ、前記着目色の領域内の前記境界の画素に対する、前記属性情報生成手段で生成された属性情報が、予め設定された属性を示す場合であって、前記着目色の領域と、前記着目色の領域が有意な領域として決定された領域との色差が、前記第２の閾値とは異なる第３の閾値以下の場合、前記着目色の領域と前記他のブロックで有意と決定された領域とを統合することを特徴とする請求項１に記載の画像処理装置。
【請求項３】
前記第３の閾値は、前記第２の閾値よりも大きい値であることを特徴とする請求項２に記載の画像処理装置。
【請求項４】
前記属性情報生成手段は、着目画素が、該着目画素を含む領域のエッジに位置するか否かに基づいて、前記属性情報を生成することを特徴とする請求項１に記載の画像処理装置。
【請求項５】
前記属性情報生成手段は、着目画素が、文字領域に含まれるか否かに基づいて、前記属性情報を生成することを特徴とする請求項１に記載の画像処理装置。
【請求項６】
画像データを入力する入力手段と、
前記入力手段で入力した画像データの各画素毎に、属性情報を生成する属性情報生成手段と、
前記入力手段で入力した画像データを、予め設定されたサイズの複数のブロックに分割する分割手段と、
前記分割手段で分割したそれぞれのブロックで一定の周期性を有するパターン領域を検出する検出手段と、
前記分割手段で分割した着目ブロック内の、前記検出手段で検出された着目するパターン領域の画素数が予め設定された閾値以下である場合、又は、
前記着目するパターン領域の画素数が前記予め設定された閾値よりも大きい場合であって、前記着目するパターン領域が前記着目ブロックの境界に位置し、且つ、前記着目するパターン領域内の前記境界の画素に対する、前記属性情報生成手段で生成された属性情報が、予め設定された属性を示す場合、前記着目するパターン領域と、前記着目ブロックと接する他のブロック内のパターン領域とを統合する統合手段と、
を備えることを特徴とする画像処理装置。
【請求項７】
画像データをブロック単位で入力する入力手段と、
前記入力手段で入力した画像データの各画素毎に生成される属性情報を入力する属性情報入力手段と、
前記入力手段で入力した着目ブロック内の第１の着目色領域と、前記着目ブロックと接する他のブロック内の第２の着目色領域との色差が、予め設定された第１の閾値以下である場合、又は、
前記色差が予め設定された第１の閾値よりも大きく、且つ、前記第１の着目色領域内の前記他のブロックとの境界と接する画素に対する、前記属性情報入力手段で入力された属性情報が、予め設定された属性を示す場合であって、前記第１の着目色領域と、前記第２の着目色領域との色差が、予め設定された第２の閾値以下の場合、前記第１の着目色領域と前記第２の着目色領域とを統合する統合手段と、
を備えることを特徴とする画像処理装置。
【請求項８】
入力手段が、画像データを入力する入力工程と、
属性情報生成手段が、前記入力工程で入力した画像データの各画素毎に、属性情報を生成する属性情報生成工程と、
分割手段が、前記入力工程で入力した画像データを、予め設定されたサイズの複数のブロックに分割する分割工程と、
生成手段が、前記分割工程で分割した着目ブロック内に出現する色と画素数のヒストグラムを生成する生成工程と、
第１の決定手段が、前記生成工程で生成したヒストグラムで得られた着目色を持つ領域の面積が予め設定された第１の閾値よりも大きい場合、着目色の領域を有意な領域として決定する第１の決定工程と、
第２の決定手段が、前記生成工程で生成したヒストグラムで得られた着目色を持つ領域の面積が前記第１の閾値以下の場合であって、着目色の領域が着目ブロックの境界に位置し、且つ、前記着目色の領域内の前記境界の画素に対する、前記属性情報生成工程で生成された属性情報が、予め設定された属性を示す場合、前記着目色の領域が有意な領域として決定する第２の決定工程と、
置換手段が、前記第１、第２の決定工程のいずれでも、前記着目色の領域が有意な領域として決定されなかった場合、前記着目色の領域を、当該着目色の領域が接する他の色の領域に統合するため、前記着目色の領域内の画素の色を前記他の色に置換する置換工程と、
統合手段が、前記第１、第２の決定工程のいずれかで、前記着目色の領域が有意な領域として決定された場合であって、前記着目色の領域と、前記着目ブロックと接する他のブロックで有意と決定された領域との色差が、予め設定された第２の閾値以下の場合、前記着目色の領域と前記他のブロックで有意と決定された領域とを統合する統合工程と
を有することを特徴とする画像処理方法。
【請求項９】
入力手段が、画像データを入力する入力工程と、
属性情報生成手段が、前記入力工程で入力した画像データの各画素毎に、属性情報を生成する属性情報生成工程と、
分割手段が、前記入力工程で入力した画像データを、予め設定されたサイズの複数のブロックに分割する分割工程と、
検出手段が、前記分割工程で分割したそれぞれのブロックで一定の周期性を有するパターン領域を検出する検出工程と、
統合手段が、前記分割工程で分割した着目ブロック内の、前記検出工程で検出された着目するパターン領域の画素数が予め設定された閾値以下である場合、又は、
前記着目するパターン領域の画素数が前記予め設定された閾値よりも大きい場合であって、前記着目するパターン領域が前記着目ブロックの境界に位置し、且つ、前記着目するパターン領域内の前記境界の画素に対する、前記属性情報生成工程で生成された属性情報が、予め設定された属性を示す場合、前記着目するパターン領域と、前記着目ブロックと接する他のブロック内のパターン領域とを統合する統合工程と、
を有することを特徴とする画像処理方法。
【請求項１０】
入力手段が、画像データをブロック単位で入力する入力工程と、
属性情報入力手段が、前記入力工程で入力した画像データの各画素毎に生成される属性情報を入力する属性情報入力工程と、
統合手段が、前記入力工程で入力した着目ブロック内の第１の着目色領域と、前記着目ブロックと接する他のブロック内の第２の着目色領域との色差が、予め設定された第１の閾値以下である場合、又は、
前記色差が予め設定された第１の閾値よりも大きく、且つ、前記第１の着目色領域内の前記他のブロックとの境界と接する画素に対する、前記属性情報入力工程で入力された属性情報が、予め設定された属性を示す場合であって、前記第１の着目色領域と、前記第２の着目色領域との色差が、予め設定された第２の閾値以下の場合、前記第１の着目色領域と前記第２の着目色領域とを統合する統合工程と、
を有することを特徴とする画像処理方法。
【請求項１１】
コンピュータが読み込み実行することで、請求項８乃至１０のいずれか１項に記載の各工程をコンピュータに実行させるコンピュータプログラム。
【請求項１２】
請求項１１に記載のコンピュータプログラムを格納したことを特徴とするコンピュータ可読記憶媒体。